【手続補正書】
【提出日】平成27年9月24日(2015.9.24)
【手続補正１】
【補正対象書類名】明細書
【補正対象項目名】０００６
【補正方法】変更
【補正の内容】
【０００６】
上記課題を解決するため、本発明に係る画像特定システムは、
送信側端末と受信側端末とを備える画像特定システムであって、前記送信側端末は、当該送信側端末が備えられた第１の物体と、第２の物体との位置関係が所定の状態となったか否かを判定する状態判定手段と、前記状態判定手段により所定の状態となったと判定されると、当該所定の状態となった時点に係る第１の情報を前記受信側端末に送信する送信手段と、を備え、前記受信側端末は、前記送信手段から送信された前記第１の情報を受信する受信手段と、撮像手段により逐次撮像された複数の画像と、各画像が撮像された時点に係る第２の情報とを関連付けて取得する取得手段と、前記取得手段により取得された複数の画像の中で、前記受信手段により受信された前記第１の情報に対応する前記第２の情報と関連付けられている画像を特定する画像特定手段と、を備えたことを特徴としている。
【手続補正２】
【補正対象書類名】明細書
【補正対象項目名】０００７
【補正方法】変更
【補正の内容】
【０００７】
また、本発明に係る画像特定方法は、
撮像部、送信側端末、及び受信側端末を用いた画像特定方法であって、当該送信側端末が備えられた第１の物体と、第２の物体との位置関係が所定の状態となったか否かを判定する判定ステップと、前記所定の状態となったと判定されると、当該所定の状態となった時点に係る第１の情報を前記受信側端末に送信する送信ステップと、前記送信側端末から送信された前記第１の情報を受信する受信ステップと、前記撮像部により逐次撮像された複数の画像と、各画像が撮像された時点に係る第２の情報とを関連付けて取得する取得ステップと、取得された複数の画像の中で、受信された前記第１の情報に対応する前記第２の情報と関連付けられている画像を特定する特定ステップと、を含むことを特徴としている。
【手続補正３】
【補正対象書類名】明細書
【補正対象項目名】０００８
【補正方法】変更
【補正の内容】
【０００８】
また、本発明に係る画像特定装置は、
第１の物体と第２の物体との間の位置関係が所定の状態となった時点に係る第１の情報を外部の装置から受信する受信手段と、撮像手段により逐次撮像された複数の画像と、各画像が撮像された時点に係る第２の情報とを関連付けて取得する取得手段と、前記取得手段により取得された複数の画像の中で、前記受信手段により受信された前記第１の情報に対応する前記第２の情報と関連付けられている画像を特定する画像特定手段と、を備えたことを特徴としている。
【手続補正４】
【補正対象書類名】明細書
【補正対象項目名】０００９
【補正方法】変更
【補正の内容】
【０００９】
また、本発明に係るプログラムは、
コンピュータを、第１の物体と第２の物体との間の位置関係が所定の状態となった時点に係る第１の情報を外部の装置から受信する受信手段、撮像手段により逐次撮像された複数の画像と、各画像が撮像された時点に係る第２の情報とを関連付けて取得する取得手段、前記取得手段により取得された複数の画像の中で、前記受信手段により受信された前記第１の情報に対応する前記第２の情報と関連付けられている画像を特定する画像特定手段、として機能させることを特徴としている。
【手続補正５】
【補正対象書類名】特許請求の範囲
【補正対象項目名】全文
【補正方法】変更
【補正の内容】
【特許請求の範囲】
【請求項１】
送信側端末と受信側端末とを備える画像特定システムであって、
前記送信側端末は、
当該送信側端末が備えられた第１の物体と、第２の物体との位置関係が所定の状態となったか否かを判定する状態判定手段と、
前記状態判定手段により所定の状態となったと判定されると、当該所定の状態となった時点に係る第１の情報を前記受信側端末に送信する送信手段と、を備え、
前記受信側端末は、
前記送信手段から送信された前記第１の情報を受信する受信手段と、
撮像手段により逐次撮像された複数の画像と、各画像が撮像された時点に係る第２の情報とを関連付けて取得する取得手段と、
前記取得手段により取得された複数の画像の中で、前記受信手段により受信された前記第１の情報に対応する前記第２の情報と関連付けられている画像を特定する画像特定手段と、
を備えたことを特徴とする画像特定システム。
【請求項２】
前記受信側端末は、
前記画像特定手段により特定された画像内で前記第１の物体に対応する第１の物体領域及び前記第２の物体に対応する第２の物体領域をそれぞれ特定する領域特定手段と、
前記領域特定手段により特定された前記第１の物体領域と前記第２の物体領域との相対的な位置関係を特定する状態特定手段と
を更に備えることを特徴とする請求項１に記載の画像特定システム。
【請求項３】
前記受信側端末は、
前記状態特定手段による特定結果を報知する報知手段を更に備えることを特徴とする請求項２に記載の画像特定システム。
【請求項４】
前記画像特定手段は、複数の撮像手段により互いに異なる方向から撮像された複数の画像のうち、前記第１の情報に対応する前記第２の情報と関連付けられている画像を複数特定することを特徴とする請求項１〜３の何れか一項に記載の画像特定システム。
【請求項５】
前記送信側端末は、前記第１の物体である所定の用具に取り付けられ、
前記状態判定手段は、前記所定の状態として、前記用具と前記第２の物体とが接触した状態となったか否かを判定し、
前記送信手段は、前記状態判定手段により前記接触した状態となったと判定されると、前記用具と前記２の物体とが接触した時点に係る前記第１の情報を前記受信側端末に送信し、
前記取得手段は、前記用具と前記第２の物体とが接触する際の複数の画像と、各画像が撮像された時点に係る第２の情報とを関連付けて取得することを特徴とする請求項１〜４の何れか一項に記載の画像特定システム。
【請求項６】
前記送信側端末は、更に、
当該端末本体の所定の軸を中心とする回動の角速度又は加速度を検出する検出手段を備え、
前記状態判定手段は、前記検出手段により検出された角速度又は加速度に基づいて、前記用具と前記第２の物体とが接触した状態となったか否かを判定することを特徴とする請求項５に記載の画像特定システム。
【請求項７】
前記検出手段は、前記用具の前記第２の物体と接触する部分を含む一面に対して略平行に延在し、且つ、用具のユーザにより把持される把持部の延在方向に略直交する軸を中心とする当該端末本体の回動の角速度を検出することを特徴とする請求項６に記載の画像特定システム。
【請求項８】
前記状態判定手段は、前記所定の状態として、前記第１の物体と前記第２の物体とが接触した状態となったか否かを判定する
ことを特徴とする請求項１〜７の何れか一項に記載の画像特定システム。
【請求項９】
前記第１の情報、及び前記第２の情報は、時間の情報を含む、
ことを特徴とする請求項１〜８の何れか一項に記載の画像特定システム。
【請求項１０】
撮像部、送信側端末、及び受信側端末を用いた画像特定方法であって、
当該送信側端末が備えられた第１の物体と、第２の物体との位置関係が所定の状態となったか否かを判定する判定ステップと、
前記所定の状態となったと判定されると、当該所定の状態となった時点に係る第１の情報を前記受信側端末に送信する送信ステップと、
前記送信側端末から送信された前記第１の情報を受信する受信ステップと、
前記撮像部により逐次撮像された複数の画像と、各画像が撮像された時点に係る第２の情報とを関連付けて取得する取得ステップと、
取得された複数の画像の中で、受信された前記第１の情報に対応する前記第２の情報と関連付けられている画像を特定する特定ステップと、を含むことを特徴とする画像特定方法。
【請求項１１】
第１の物体と第２の物体との間の位置関係が所定の状態となった時点に係る第１の情報を外部の装置から受信する受信手段と、
撮像手段により逐次撮像された複数の画像と、各画像が撮像された時点に係る第２の情報とを関連付けて取得する取得手段と、
前記取得手段により取得された複数の画像の中で、前記受信手段により受信された前記第１の情報に対応する前記第２の情報と関連付けられている画像を特定する画像特定手段と、
を備えたことを特徴とする画像特定装置。
【請求項１２】
コンピュータを、
第１の物体と第２の物体との間の位置関係が所定の状態となった時点に係る第１の情報を外部の装置から受信する受信手段、
撮像手段により逐次撮像された複数の画像と、各画像が撮像された時点に係る第２の情報とを関連付けて取得する取得手段、
前記取得手段により取得された複数の画像の中で、前記受信手段により受信された前記第１の情報に対応する前記第２の情報と関連付けられている画像を特定する画像特定手段、
として機能させることを特徴とするプログラム。